(57)【要約】【課題】ボールを所望の方向に細かく転がしながら、１つのツボを継続して刺激することができるボール型マッサージ器を提供する。【解決手段】身体の患部に押し当てられるマッサージ用のボール１１と、ボールの表面のうち、第１の球軸と交わる一対の第１の交点間に掛け渡された帯紐状の第１のボール操作部材１２と、ボールの表面のうち、第１の球軸と直交した第２の球軸と交わる一対の第２の交点間に掛け渡された帯紐状の第２のボール操作部材１３とを備えるようにした。これにより、ボールを所望の方向に細かく転がしながら、１つのツボを継続して刺激することができる。【選択図】図１
2018094130.tif 000002
【特許請求の範囲】
【請求項１】
身体に押し当てられるマッサージ用のボールと、
該ボールの表面のうち、第１の球軸と交わる一対の第１の交点間に掛け渡された紐状の第１のボール操作部材と、
前記ボールの表面のうち、前記第１の球軸と直交した第２の球軸と交わる一対の第２の交点間に掛け渡された紐状の第２のボール操作部材とを備えたことを特徴とするボール型マッサージ器。
【請求項２】
前記ボールの表面の各第１の交点には、前記第１のボール操作部材の長さ方向の両端部が連結される一対の連結リングが配設され、
前記第２のボール操作部材は環状のもので、
前記ボールには、該ボールを前記第２のボール操作部材にスライド自在に差し通すための軸孔が、前記各第２の交点間を貫通して形成されたことを特徴とする請求項１に記載のボール型マッサージ器。
【請求項３】
前記各第１の交点と前記各第２の交点とのうちの隣接する４つの交点間のすきまに、放射状に延びる４本の先端部を配置した状態で前記ボールを被覆する十字状の緩衝カバーを有し、
該緩衝カバーの各先端部の内面には、第１の掛止部材が配設され、
前記ボールの表面のうち、前記緩衝カバーにより前記ボールを被覆した際に前記各先端部が当接する領域には、前記各第１の掛止部材に対応する第２の掛止部材が設けられたことを特徴とする請求項１または請求項２に記載のボール型マッサージ器。
【発明の詳細な説明】
【技術分野】
【０００１】
この発明は、ボールを患部に押し当てることで筋肉のコリをほぐすボール型マッサージ器に関する。
【背景技術】
【０００２】
従来、マッサージ用のボールを患部に押し当てることにより、静脈系血液循環やリンパ循環の改善を促進して筋肉のコリ（緊張）をほぐし、筋肉痛を和らげるボール型マッサージ器として、例えば、特許文献１に記載された“携帯マッサージ具”が知られている。
【０００３】
この従来器具は、１本の紐状体（帯紐状のボール操作部材）の長さ方向の両端部に一対の球状体（ボール）を連結したものである。
その使用時には、例えば、椅子に着座するか立ったまま紐状体の一端部を把持し、この状態で球状体の上に足を置き、足を動かして球状体を転がし、足裏のツボを刺激する。
【発明の概要】
【発明が解決しようとする課題】
【０００４】
しかしながら、特許文献１の“携帯マッサージ具”にあっては、このように１本の紐状体の長さ方向の両端部に一対の球状体を連結したものであった。
そのため、球状体を所望の方向に細かく転がしながら１つのツボを継続して刺激したい場合には、使用者が自ら患部を動かさなければならなかった。
【０００５】
そこで、紐状体の長さ方向の中間部に、球状体を数珠状に連結（固定）することが考えられる。
しかしながら、この器具を用い、球状体をツボに押し当てた状態で紐状体の両端部を交互に引いたとしても、球状体は往復回動せず、ボールがツボを中心にして横移動するだけであった。
【０００６】
そこで、発明者は鋭意研究の結果、マッサージ用のボールをツボの上で細かく往復回動させるには、帯紐状の第１のボール操作部材を例えばボールの上端部と下端部とに掛け渡し、かつ帯紐状の第２のボール操作部材をボールの左端部と右端部とに掛け渡せばよいことに想到した。
こうすれば、その使用時、ボールをツボに押し当て、この状態で第１，２のボール操作部材を交互に小さく引けば、ボールはほとんど横移動せず、ツボの上で所望方向へ細かく転がせることを知見し、この発明を完成させた。
【０００７】
この発明は、ボールをツボの上で所望の方向に細かく転がしながら、１つのツボを継続して刺激することができるボール型マッサージ器を提供することを目的としている。
【０００８】
一般には、これまでのマッサージ器具は、例えば、マッサージチェアーの効果は、大ではあるが、手軽に持ち運びできず、事務所や、仕事場、飛行機の中などで、体のこりを、ほぐしたり、血行を良くする事は、特に背中に関して、大変困難であった。
また、部分、部分に使うマッサージ器具はあるが、多様な範囲で、健康の改善に役立つ小さなマッサージ器具もあまり見当たらなかった。
さらに、既にボールを使ったマッサージ器具は存在するが、そのほとんどは、背中に関しては、その上に寝るなど、場所を選び、どこでも簡単には使用できない、多様性にも欠けるものであった。
そして、ボールと磁性体であるマグネットを組み合わせた、どこにでも持ち運び簡単なものは見当たらなかった。
殆どのマッサージ器具は、筋肉や、筋に刺激、圧迫、揉みなど、外からの刺激により体の状態の改善を促進するものであり、体の内からの運動である呼吸との連携作用を齎し、それぞれ異なった呼吸筋肉の動きを計算にいれた精神的な治療にも役立ち、身体、精神面の両方に良い効果を引き出せる器具は存在しなかった。
【課題を解決するための手段】
【０００９】
第１の発明は、身体の患部に押し当てられるマッサージ用のボールと、該ボールの表面のうち、第１の球軸と交わる一対の第１の交点間に掛け渡された帯紐状の第１のボール操作部材と、前記ボールの表面のうち、前記第１の球軸と直交した第２の球軸と交わる一対の第２の交点間に掛け渡された帯紐状の第２のボール操作部材とを備えたことを特徴とするボール型マッサージ器である。
【００１０】
ボールの素材としては、例えば、各種の硬質プラスチック、各種の木、各種の金属、各種のセラミックスなどを採用することができる。
ボールは中実のものでも、中空のものでもよい。
ボールのサイズは、任意である。
例えば、テニスボールサイズを採用することができる。
その他、首回り用としてバレーボールサイズでもよい。
ボールが押し当てられる患部は、任意である。
例えば、背中、首、足の裏、太腿、脹脛等が挙げられる。
第１の球軸および第２の球軸は、それぞれボールの中心を通る軸線で、このボールの中心で直交している。
【００１１】
一対の第１の交点は、第１の軸線のうち、ボールの表面と交わった２つの点である。
また、一対の第２の交点は、第２の軸線のうち、ボールの表面と交わった２つの点である。
第１のボール操作部材および第２のボール操作部材としては、各種の紐、各種の帯や、ゴムベルト、ゴムバンド等を採用することができる。
各ボール操作部材は、長さ方向に端部を有する帯や紐でも、端部を有さない無端状の帯や紐でもよい。
また、各ボール操作部材は、剛性を高めるため、二重以上に重ねて使用してもよい。
【００１２】
さらに、ボール操作部材として、長さの調節可能なものを採用することもできるし、取り替え可能とするために取り外し自在なものを採用することもできる。
ここで、取り替えが可能な場合には、予め長さの異なる数種類のものを準備しておくこともできる。
【００１３】
なお、これらのボール操作部材は、長さ方向に端部を有する帯紐の場合でも、対応する交点間に掛け渡すことで、見かけ上、環状となる。
各ボール操作部材を対応する交点に掛け渡す方法としては、例えば、分離不能な固定（接着を含む）や連結リングを使用した掛止などを採用することができる。
連結リングを使用する場合、全てのボール操作部材に対して使用しても、何れか一方のボール操作部材のみに使用してもよい。
【００１４】
第２の発明は、前記ボールの表面の各第１の交点には、前記第１のボール操作部材の長さ方向の両端部が連結される一対の連結リングが配設され、前記第２のボール操作部材は環状のもので、前記ボールには、該ボールを前記第２のボール操作部材にスライド自在に差し通すための軸孔が、前記各第２の交点間を貫通して形成されたことを特徴とする前記第１に記載のボール型マッサージ器である。
【００１５】
連結リングの素材は、限定されない。
例えば、各種の繊維、各種のプラスチック、各種の金属等を採用することができる。
軸孔のサイズは、第２のボール操作部材にスライド自在に差し通すことができれば任意である。
なお、中空のボールでの軸孔は、各第２の交点部分に一対の開口部が形成されただけの仮想の孔となる。
【００１６】
さらに、第３の発明は、前記各第１の交点と前記各第２の交点とのうちの隣接する４つの交点間のすきまに、放射状に延びる４本の先端部を配置した状態で前記ボールを被覆する十字状の緩衝カバーを有し、該緩衝カバーの各先端部の内面には、第１の掛止部材が配設され、前記ボールの表面のうち、前記緩衝カバーにより前記ボールを被覆した際に前記各先端部が当接する領域には、前記各第１の掛止部材に対応する第２の掛止部材が設けられたことを特徴とする前記第１または第２に記載のボール型マッサージ器である。
【００１７】
緩衝カバーの素材としては、例えば、フェルトを含む各種の布帛、各種の軟質プラスチック等を採用することができる。
第１の掛止部材および第２の掛止部材の種類は、限定されない。
例えば、面状ファスナ、ホック、フック、凹凸嵌合体等を採用することができる。
【００１８】
ここでいう「各第１の交点と前記各第２の交点とのうち、隣接する４つの交点間のすきま」とは、ボールの表面に、その周方向へ９０°間隔で配された第１の交点と第２の交点とのうち、それぞれ隣接する交点と交点との隙間をいう。
ここでいう「ボールの表面のうち、緩衝カバーによりボールを被覆した際に各先端部が当接する領域」とは、例えば、ボールの後部に緩衝カバーの中央部をあてがい、４つの隣接する交点間のすきまを通して各先端部をボールの前方へ配置してボールを緩衝カバーにより被覆するとき、これらの先端部がボールの表面に当接されるボールの前側端部をいう。
【発明の効果】
【００１９】
第１に記載の発明によれば、ボールを患部のツボに押し当てて、ボールの表面のうち、第１の球軸と交わる一対の第１の交点間に掛け渡された第１のボール操作部材と、ボールの表面のうち、第２の球軸と交わる一対の第２の交点間に掛け渡された第２のボール操作部材とを交互に小さく引く。
このとき、第１の球軸と第２の球軸とは、直交する。
これにより、ボールは、ほとんど横移動することなく、ツボの上で所望方向へ細かく往復回動する。
【００２０】
その結果、従来のボール紐引きタイプのマッサージ器では不可能であった１つのツボを継続して刺激することができる。
また、第１，２のボール操作部材を交互に大きく引っ張ることで、ツボに押し当てたボールを所望の方向へ細かく往復回動させながら、これを大きく横移動させることもできる。
【００２１】
特に、第２に記載の発明にあっては、一対の連結リングを介して、第１のボール操作部材がボールの表面の各第１の交点間に掛け渡されている一方、環状の第２のボール操作部材がボールの軸孔にスライド自在に差し通されている。
これにより、ボールを細かく往復回動しながら、例えば、背中等に存在する複数のツボを順次刺激して行くことができる。
【００２２】
すなわち、例えば肩や首等の患部に環状の第２のボール操作部材を通した後、一方の手で第２のボール操作部材を引っ張り、ボールを１つのツボに押し当てる。
次いで、この状態を維持して、他方の手で第１のボール操作部材を適度に引きながら、その手首を内外方向へ捩じれば、ボールが第２の球軸を中心にして小さく往復回動する。
これにより、１つのツボの上でボールを所望方向へ小さく往復回動しながらマッサージすることができる。
【００２３】
その後は、手首を捩じりながら、第２のボール操作部材に沿ってボールが徐々に移動（スライド）するように、第１のボール操作部材をゆっくりと所定方向へ引っ張って行く。
その結果、背中等の各ツボを順次刺激しながら、コリを感じる患部の一帯をマッサージすることができる。
【００２４】
また、第２のボール操作部材は、ボールの軸孔にスライド自在に差し通されているため、例えば、これをボールの表面の各第２の交点に固定した場合に比べて、使用時に、各第２の交点部分に作用する第２のボール操作部材の引っ張り力が分散される。
しかも、第２のボール操作部材は、軸孔に沿って自在にスライド可能であるため、引っ張り力が集中するボールの表面の各第２の交点との当接部分は適宜変更することができる。
その結果、使用中のボールへの擦れを原因とした第２の操作紐の損傷は抑えられ、その使用寿命を長くすることができる。
【００２５】
第３に記載の発明によれば、ボールを緩衝カバーにより被覆するように構成したため、ボール型マッサージ器を持ち運ぶ際のボールの保護が図れる。
また、カバー使用時には、クッション性を有する緩衝カバーを介してボールが患部に押し当てられるため、患部へのボールの刺激を和らげることができる。
加えて、緩衝カバーとして、ボールの表面に９０°間隔で配された第１の交点と第２の交点との隙間にそれぞれ挿通される４本の先端部を具備した十字状のカバーを採用したため、ボールの表面から延びる見かけ上４本となる第１のボール操作部材と第２のボール操作部材との使用時の動きを妨げることなく、ボール全体を緩衝カバーにより被覆することができる。
【００２６】
さらには、緩衝カバーの各先端部の内面に第１の掛止部材を配設する一方、緩衝カバーによるボールの被覆時、ボール表面のうち、緩衝カバーの各先端部が当接する領域に第２の掛止部材を設けるように構成したため、緩衝カバーによりボールの表面の略全域を着脱自在に被覆することができる。
さらにまた、この緩衝カバーをカラフルにすれば、ボール、ひいてはボール型マッサージ器のデザイン性を高めることもできる。
【００２７】
本発明によると、ボールを操る操作部材をボールに取り付けた手軽な物であるため、何処にでも持ち運びが容易である。
そして、本発明の特別な効用としては、ドイツの有名な呼吸療法、ミッテンドルフの理論、指と呼吸筋肉の連鎖運動に基づき、ボールが様々な方向に動きやすいように取り付けられた操作紐を持つ両手のどの指を使うかにより、どの部分の呼吸筋肉が動くかが変わる、という作用効果を得ることが可能となる。
【００２８】
これは、選択した指の連鎖神経により、より活発に動く呼吸筋肉の背中の部分に合致した位置にボールを両手の選択した指で操作する操作紐で固定し、壁、若しくは椅子の差もたれなどに押しつけ、指圧を行うことで得られる。
すなわち、押しつけ等の際に、自然に呼吸することにより、ボールの当たった部分に息が入り込む。
そして、壁に押し付けたボールによる指圧又はそのボールに押し付けた体を軽く動かすことにより起こるマッサージ効果と同時に行われる呼吸により、体内からもコリを解く効果が期待できる。
【００２９】
ここで、ボールの多様な機能のその一つは、ボールに取り付けられた磁性体であるマグネットの部分を経略のツボに押しつけ揉むことによって、その部分の気の流れと血行を良くする点にもある。
また、紐の設置位置に他の同じボールを繋ぐ事も出来、２つのボールを繋いで使用した場合、より安定した新しい効果が生まれる。
そして、足の下や、太ももの下に置いた状態で、紐でボールを動かすことにより、血行を良くし、足の裏のツボによる治療も可能となる。
この場合、磁性体であるマグネットを足の裏の所望のツボの下に敷くと、仕事をしながら足のツボの治療も可能となる。
なお、紐の長さは、９０から１００ｃｍで、リングに繋ぐ紐を短くするなどの工夫することで、使用する人の腕の長さに合わせた調せつが可能となる。
【図面の簡単な説明】
【００３０】
【図１】本発明の実施例１に係るボール型マッサージ器の斜視図である。
【図２】本発明の実施例１に係るボール型マッサージ器の要部拡大図で、（ａ）は側面図、（ｂ）は正面図である。
【図３】本発明の実施例１に係るボール型マッサージ器の使用状態の斜視図である。
【図４】十字緩衝カバーによりボールを被覆するタイプの本発明の実施例２に係るボール型マッサージ器であって、（ａ）はボールを被覆する直前の状態を示す要部拡大正面図、（ｂ）はボールを被覆した状態を示す要部拡大正面図である。
【図５】位置が異なる３本のグリップ管を有するタイプの本発明の実施例３に係るボール型マッサージ器の斜視図である。
【図６】本発明の実施例３に係る２個のボール型マッサージ器を連結した状態を示す斜視図である。
【図７】本発明の実施例３に係るボール型マッサージ器に、後付けの磁性体を取り付けた状態を示す斜視図である。
【発明を実施するための形態】
【００３１】
以下、この発明の実施例を具体的に説明する。
なお、説明の都合上、図２（ｂ）の上下方向、左右方向および前後方向を、ボールの対応した方向とする。
【００３２】
図１において、１０はこの発明の実施例１に係るボール型マッサージ器で、このボール型マッサージ器１０は、身体の患部に押し当てられるマッサージ用のボール１１と、ボール１１の表面のうち、第１の球軸Ｘと交わる一対の第１の交点ａ間に掛け渡された第１の操作紐（帯紐状の第１のボール操作部材）１２と、ボール１１の表面のうち、第１の球軸Ｘと直交した第２の球軸Ｙと交わる一対の第２の交点ｂ間に掛け渡された第２の操作紐（帯紐状の第２のボール操作部材）１３とを備えている。
【００３３】
以下、これらの構成体を具体的に説明する。
図１および図２に示すように、ボール１１は、硬質プラスチックからなるテニスボールサイズの中空の球体で、その表面には長さが異なる多数の指圧用突条１４が所定間隔で配設されている。
【００３４】
また、ボール１１の表面の前側中央部分には、左右一対の磁性体としての磁性玉（玉状磁石）１５が離間状態で内部を通る細い連結紐１５ａにより固定されている。
なお、磁性体としては、球状のものの他に、平たい円盤状のものを採用することができる。
そして、左右一対の磁性体としての磁性玉（玉状磁石）１５の他に、図示は省略するが、１個の磁性体を用いることもできるし、磁性体を全く用いないこともできる。
【００３５】
第１の球軸Ｘと第２の球軸Ｙとは、ボール１１の中心で直交した仮想の直線である。
第１の球軸Ｘは、左右方向に延び、それがボール１１の表面と交わった２つの点を第１の交点ａとする。
【００３６】
一方、第２の球軸Ｙは、上下方向に延び、それのボール１１の表面と交わった２つの点を第２の交点ｂとする。
各第１の交点ａには、第１の操作紐１２の長さ方向の両端部が連結される一対の連結リング１６が配設されている。
これらの第１の操作紐１２は、木綿製である。
【００３７】
また、各第２の交点部分には、ボール１１の中心を通って第２の操作紐１３をスライド自在に差し通すための軸孔１７用の上下一対の開口部１７ａが、それぞれ形成されている。
なお、連結リング１６を利用し、複数のボール１１を連結してもよい。
【００３８】
第１の操作紐１２は、長さ９０ｃｍ、太さ５ｍｍ程度の環状の紐で、一対の連結リング１６に第１の操作紐１２を一連に差し通し、各連結リング１６に通した部分を基点としてこれを折り返すことで、見かけ上、第１の操作紐１２は二重紐となる。
一方、第２の操作紐１３は、長さ１００ｃｍ（二重状態での長さ）、太さ５ｍｍ程度の環状の二重紐で、軸孔１７の一部の上下端部を画成する上下の開口部１７ａに差し通されている。
第１の操作紐１２および第２の操作紐１３の各先端部（長さ方向の中間部）には、対応する操作紐１２，１３がスライド自在に挿通される短尺なゴムチューブからなるグリップ管１８がそれぞれ配設されている。
【００３９】
次に、図１〜図３を参照して、この発明の実施例１に係るボール型マッサージ器１０の使用方法を説明する。
図１〜図３に示すように、ボール型マッサージ器１０の使用に際しては、まず一方の手でグリップ管１８を握り、他方の手で他方のグリップ管１８を握ってボール１１を患部のツボに押し当てる。
【００４０】
この状態を保つように各操作紐１２，１３に所定のテンションを維持しながら、ちょうど両手首を内外方向へ捩じるように、第１の操作紐１２と第２の操作紐１３とを交互に小さく引く。
これにより、ボール１１はほとんど横移動することなく、そのツボの上で所望方向へ細かく往復回動する。
その際、ボール１１の表面に配された各指圧用突条１４や各磁性玉１５が、ツボ押し効果を高める。
特に磁性玉１５の場合は、磁力の作用によってツボ周辺の血行を促進させる。
【００４１】
その結果、従来のボール紐引きタイプのマッサージ器では得られなかった、１つのツボを継続して刺激するマッサージ効果が期待できる。
また、使用時に、両手首を内外方向へ捩じりながら、第１の操作紐１２と第２の操作紐１３とを交互に大きく引っ張れば、ボール１１を所望の方向へ細かく往復回動させながら、ボール１１を大きく横移動させることもできる。
その他、ボール１１を握り、足の裏、太腿、脹脛等のツボを刺激してもよい。
【００４２】
さらに、ここでは第１の操作紐１２を、一対の連結リング１６を介して、ボール１１の表面の各第１の交点ａ間に掛け渡し、かつ環状の第２の操作紐１３を、ボール１１の軸孔１７にスライド自在に差し通したものを採用したため、ボール１１を細かく往復回動しながら、例えば背中に存在する複数のツボを順次刺激して行くことができる。
すなわち、例えば、右肩から腰の左側にかけてマッサージしたいときには、まず環状の第２の操作紐１３を右肩から腰の左側へ斜めに通し、その後、左手で第２の操作紐１３を引っ張り、ボール１１を背中の任意のツボに押し当てる。
【００４３】
次に、この状態を維持しながら、右手で第１の操作紐１２を適度に引きながら右の手首を内外方向へ捩じれば、ボール１１が第２の球軸Ｙを中心にして小さく往復回動する。
これにより、任意のツボの上でボール１１を所望方向へ小さく往復回動しながらマッサージすることができる。
その後は、左の手首を捩じりながら、ボール１１が第２の操作紐１３に沿って徐々に上方または下方へスライドするように、第１の操作紐１２をゆっくりと所定の方向へ引っ張って行く。
その結果、背中の各ツボを順次刺激しながら、コリを感じる患部の一帯をマッサージすることができる。
【００４４】
また、このように第２の操作紐１３を、ボール１１の軸孔１７にスライド自在に差し通したため、第２の操作紐１３の両基端部をボール１１の表面の各第２の交点ｂにそれぞれ固定したときに比べて、使用時、各第２の交点部分に作用する第２の操作紐１３の引っ張り力は分散される。
しかも、第２の操作紐１３は、軸孔１７に沿って自在にスライド可能であるため、第２の操作紐１３のうち、その引っ張り力が集中する上下の開口部１７ａとの当接箇所は、適宜変更することができる。
その結果、使用中のボール１１への擦れを原因とした第２の操作紐１３の損傷は抑えられ、その使用寿命を長くすることができる。
【００４５】
次に、図４を参照して、この発明の実施例２に係るボール型マッサージ器を説明する。
図４に示すように、実施例２のボール型マッサージ器１０Ａの特徴は、この器具の持ち運び時のボール１１の保護や、患部へのボール１１の刺激を和らげるため、ボール１１を被覆する十字状の緩衝カバー１９を備えた点である。
【００４６】
緩衝カバー１９は、フェルト製で、放射状に延びた４本の先端部１９ａを有している。
カバー使用時、これらの先端部１９ａは、２つの第１の交点ａと２つの第２の交点ｂとのうち、隣接する４つの交点ａ，ｂ間のすきまに配置される。
また、各先端部１９ａの内面には、４つの雌型面ファスナー（第１の掛止部材）２０が縫着されている。
一方、ボール１１の表面のうち、緩衝カバー１９によりボール１１を被覆した際に各先端部１９ａが当接する領域、具体的にはボール１１の表面の前側中央部一帯に、横長な矩形状の雄型面ファスナー（第２の掛止部材）２１が接着されている。
なお、雄型面ファスナー２１には、左右一対の磁性玉１５の露出孔２１ａが形成されている。
【００４７】
このように、緩衝カバー１９として、ボール１１の表面に９０°間隔で配された第１の交点ａと第２の交点ｂとのすきまにそれぞれ挿通される４本の先端部１９ａを具備した十字状のカバーを採用したため、ボール１１の表面から延びる第１の操作紐１２と第２の操作紐１３との使用中の動きを妨げることなく、ボール１１の全体を緩衝カバー１９により被覆することができる。
さらには、緩衝カバー１９の各先端部１９ａの内面に雌型面ファスナー２０を配設する一方、ボール１１の表面の前側中央部一帯に雄型面ファスナー２１を設けたため、緩衝カバー１９によりボール１１の表面の略全域を着脱自在に被覆することができる。
また、この緩衝カバー１９をカラフルにすれば、ボール１１、ひいてはボール型マッサージ器１０Ａのデザイン性を高めることもできる。
その他の構成、作用および効果は、実施例１と同じであるため、説明を省略する。
【００４８】
図５〜図７は、位置が異なる３本のグリップ管１８Ａ，１８Ｂ，１８Ｃを有する本発明の実施例３に係るボール型マッサージ器を示している。
使用者は、グリップ管１８Ａ，１８Ｂ，１８Ｃから所望の長さとなるものを選択することで、目標とする位置にボール１１を押し当てることが容易に可能となる。
【００４９】
図６は、本発明の実施例３に係る２個のボール型マッサージ器を連結した状態を示している。
簡易に連結するには、図示するように、第１の操作紐１２同士を縛り付けることで行うことができる。
なお、２個のボール型マッサージ器を連結する際には、図示は省略するが、第１の操作紐１２同士を直接的に縛り付ける他に、短い紐若しくはゴム紐、或いは強い磁石のついた紐に付け替えることもできる。
この場合の磁石は、二つのボールを繋ぐためのものであるが、この磁石を二つ耳のツボに耳の表と裏から挟むようにつければ耳のツボに固定され、治療にも使うことができるようになる。
【００５０】
図７は、本発明の実施例３に係るボール型マッサージ器に、後付けの磁性体３０を、取付紐３１で取り付けた状態を示している。
なお、後付けの磁性体３０を取り付ける際に、図示は省略するが、手で持つための紐を利用することもできる。
【産業上の利用可能性】
【００５１】
この発明は、患部のツボにボールを押し当てて刺激することにより、その患部の筋肉の緊張をほぐし、筋肉痛を和らげるマッサージ器として有用である。
【符号の説明】
【００５２】
１０，１０Ａ  ボール型マッサージ器
１１  ボール
１２  第１の操作紐（第１のボール操作部材）
１３  第２の操作紐（第２のボール操作部材）
１４  指圧用突条
１５  磁性玉
１５ａ  連結紐
１６  連結リング
１７  軸孔
１７ａ  開孔部
１８，１８Ａ，１８Ｂ，１８Ｃ  グリップ管
１９  緩衝カバー
１９ａ  先端部
２０  雌型面ファスナー（第１の掛止部材）
２１  雄型面ファスナー（第２の掛止部材）
２１ａ  露出孔
３０  磁性体
３１  取付紐
Ｘ  第１の球軸
Ｙ  第２の球軸
ａ  第１の交点
ｂ  第２の交点
【先行技術文献】
【特許文献】
【００５３】
【特許文献１】特開２００２−２１９１５９号公報
【図１】
2018094130.tif 000003
【図２】
2018094130.tif 000004
【図３】
2018094130.tif 000005
【図４】
2018094130.tif 000006
【図５】
2018094130.tif 000007
【図６】
2018094130.tif 000008
【図７】
2018094130.tif 000009